(57)【要約】【課題】レーザダイオードに接続されるフレキシブル配線基板をパッケージタイプが相違するレーザダイオードであっても共用可能とした光学ヘッド装置の配線装置を提供する。【解決手段】光学ハウジング１に相違する形態の少なくとも２種類のレーザダイオードを選択的に装着可能とし、前記２種類のレーザダイオードのリード端子に接続するべくフレキシブル配線基板７のレーザ接続部７ａにそれら２種類のレーザダイオードの両方の各リード端子に対応する位置にそれぞれランド領域１２ａ，１２ｂを備える端子孔１１ａ〜１１ｅを形成すると共に、前記２種類のレーザダイオードの同一機能のリード端子ごとにそれぞれ共用されるランド領域１２ａ，１２ｂを各端子孔１１ａ〜１１ｅに対応させて形成し、前記２種類のレーザダイオードに対してフレキシブル配線基板７を共通に使用するようにしている。【選択図】図１
2006164476.tif 000002
【特許請求の範囲】
【請求項１】
レーザダイオードから出射されるレーザ光を用いて信号記録媒体に対する信号読み取り、及びあるいは信号書き込みを行う光学ヘッド装置内の電気配線にフレキシブル配線基板を用いる光学ヘッド装置の配線装置において、光学ヘッド装置のレーザダイオードを装着する光学ハウジングに相違する形態の少なくとも２種類のレーザダイオードを選択的に装着可能とし、前記２種類のレーザダイオードのリード端子に接続するべくフレキシブル配線基板のレーザ接続部にそれら２種類のレーザダイオードの両方の各リード端子に対応する位置にそれぞれランド領域を備える端子孔を形成すると共に、前記２種類のレーザダイオードの同一機能のリード端子ごとにそれぞれ共用されるランド領域を前記各端子孔に対応させて形成し、前記２種類のレーザダイオードに対してフレキシブル配線基板を共通に使用するようにしたことを特徴とする光学ヘッド装置の配線装置。
【請求項２】
前記２種類のレーザダイオードはそれぞれキャンパッケージタイプ及びモールドパッケージタイプであることを特徴とする請求項１記載の光学ヘッド装置の配線装置。
【請求項３】
フレキシブル配線基板のレーザ接続部に形成される端子孔は、２種類のレーザダイオードで共通使用する箇所を設けるべく配置されたことを特徴とする請求項２記載の光学ヘッド装置の配線装置。
【請求項４】
フレキシブル配線基板のレーザ接続部の付け根部分に折り返し部を設けたことを特徴とする請求項１記載の光学ヘッド装置の配線装置。
【請求項５】
フレキシブル配線基板には２種類のレーザダイオードのリード端子に接続するレーザ接続部の他に、前記レーザダイオードとは相違する波長のレーザ光を発光し、適合する信号記録媒体が相違する第２のレーザダイオードのリード端子に接続する第２のレーザ接続部が設けらていることを特徴とする請求項１記載の光学ヘッド装置の配線装置。
【発明の詳細な説明】
【技術分野】
【０００１】
本発明は、レーザダイオードから出射されるレーザ光を用いて信号記録媒体に対する信号読み取り、及びあるいは信号書き込みを行う光学ヘッド装置内の電気配線にフレキシブル配線基板を用いる光学ヘッド装置の配線装置に関する。
【背景技術】
【０００２】
光学ヘッド装置は、一般に対物レンズを駆動するアクチュエータを対物レンズを除く各種光学部品が組み込まれる光学ハウジングに載置されて構成されており、このような光学ヘッド装置には、光源となるレーザダイオード、信号記録媒体により反射されたレーザ光を受光する光検出器、前記レーザダイオードを駆動するレーザ駆動用半導体集積回路、及び回路定数を設定するコイル、コンデンサ、抵抗、あるいはレーザダイオードの出射光量を所定強度に保持するために該レーザダイオードから出射されるレーザ光を受光するフロントモニタダイオード等の電気部品が搭載される。
【０００３】
また、対物レンズを駆動するアクチュエータが永久磁石、ヨーク及び各種駆動コイル（フォーカスコイル及びトラッキングコイル、必要に応じてチルトコイル）により構成され、前記各種駆動コイルに駆動信号を供給するようになっている。
【０００４】
その為、光学ヘッド装置においては、光学ヘッド装置に搭載される電気部品を接続するため、及び前記各種駆動コイルに駆動信号を供給するためにフレキシブル配線基板が用いられ、このフレキシブル配線基板が光学ヘッド装置に添わして配置される。（特許文献１参照）
ところで、光学ヘッド装置の同一形態の機種であっても、同一の電気部品、例えば、レーザダイオードを異なるメーカーのものを共用することが行われている。
【０００５】
レーザダイオードの場合、基本的な仕様が同一で共用できる場合であっても、放熱効果の高いメタルキャンパッケージタイプ及びコスト的に有利なプラスチックモールドパッケージタイプがあり、これらを共用したい要望がある。
【０００６】
モールドパッケージタイプのレーザダイオードであっても光学ハウジングへの装着に関係する部分をキャンパッケージタイプと同様の外形とし、キャンパッケージタイプが装着可能な光学ヘッド装置にも装着可能なモールドパッケージタイプのレーザダイオードが存在する。（特許文献２参照）
【特許文献１】特開２００１−３３９１８２号公報
【特許文献２】特開平１０−２０９５５１号公報
【発明の開示】
【発明が解決しようとする課題】
【０００７】
しかしながら、レーザダイオードのパッケージタイプが相違すると、リード端子の配置が相違するので、両方に対応させる工夫がないとフレキシブル配線基板の共用が出来ない。
【０００８】
また、キャンパッケージタイプと互換を持たせたモールドパッケージタイプのレーザダイオードを使用するのでは選択肢が狭められてしまう。
【０００９】
また、レーザダイオードにおいてはレーザ光の回転方向の向きを調整する必要があるために、あるいはリード端子の配置の違いがあるためにレーザダイオードを回転方向に調整するが、その調整によりフレキシブル配線基板に捩れが発生する問題が生じる。
【課題を解決するための手段】
【００１０】
本発明は、光学ヘッド装置のレーザダイオードを装着する光学ハウジングに相違する形態の少なくとも２種類のレーザダイオードを選択的に装着可能とし、前記２種類のレーザダイオードのリード端子に接続するべくフレキシブル配線基板のレーザ接続部にそれら２種類のレーザダイオードの両方の各リード端子に対応する位置にそれぞれランド領域を備える端子孔を形成すると共に、前記２種類のレーザダイオードの同一機能のリード端子ごとにそれぞれ共用されるランド領域を前記各端子孔に対応させて形成し、前記２種類のレーザダイオードに対してフレキシブル配線基板を共通に使用するようにしている。
【発明の効果】
【００１１】
本発明に係るヘッド装置の配線装置は、相違する形態の少なくとも２種類のレーザダイオードに対してフレキシブル配線基板を共通に使用することが出来、この場合、前記２種類のレーザダイオードの同一機能のリード端子ごとにそれぞれ共用されるランド領域を各端子孔に対応させて形成しているので、端子孔が狭い範囲で増えて前記２種類のレーザダイオードの各リード端子を確実にフレキシブル配線基板のレーザ接続部に接続することが出来る。
【００１２】
２種類のレーザダイオードで所定の端子孔を共通使用するので、レーザ接続部を拡大せずに各端子孔を効率良く配置することが出来る。
【００１３】
また、レーザ接続部の付け根部分に折り返し部を設けているので、形態の相違するレーザダイオードをレーザ接続部に接続するため、及びそのレーザダイオードを回転方向に調整する際の捩れを吸収することが出来る。
【実施例】
【００１４】
図１及び図２は本発明に係る光学ヘッド装置の配線装置の一実施例を示し、光学ヘッド装置としてＣＤ及びＤＶＤの両ディスクの信号記録再生に対応させた一例を示した底板を被せていない底面側からの斜視図であり、ＣＤに適合するレーザダイオードとしてそれぞれモールドパッケージタイプ及びキャンパッケージタイプを使用した状態を示している。
【００１５】
図３は図１に示す光学ヘッド装置の配線装置を側面方向やや上方から示した斜視図である。
【００１６】
光学ハウジング１には対物レンズ２を駆動するアクチュエータ３が取り付けられると共に、ＣＤ及びＤＶＤの各ディスクにそれぞれ適合する波長のレーザダイオードとなる第１レーザダイオード４及び第２レーザダイオード５からのレーザ光を対物レンズ２によりディスクに収束して照射するべく対物レンズ２に導く入射光路と、ＣＤ及びＤＶＤの各ディスクにより反射されたレーザ光を受光するべく光検出器６に導く反射光路とが形成されている。
【００１７】
ここで、第１レーザダイオード４としてモールドパッケージタイプ及びキャンパッケージタイプの相違する形態の２種類のレーザダイオードが選択的に光学ハウジング１に装着されるようになっている。前記第１レーザダイオード４はレーザホルダ１４に装填されてこのレーザホルダ１４を光学ハウジング１に取り付けることにより光学ハウジング１に装着されるようになっているが、光学ハウジング１に第１レーザダイオード４として前記２種類のレーザダイオードを選択的に装着することは、レーザホルダ１４にプラスチックモ
ールドパッケージタイプの横方向の断面形状の長方形と、メタルキャンパッケージタイプの横方向の断面形状の真円形とを合わせた形状に装着孔を形成し、このレーザホルダ１４にモールドパッケージタイプ及びキャンパッケージタイプの２種類のレーザダイオードを選択的に装填可能とすることにより達成される。
【００１８】
また、光学ハウジング１に第１レーザダイオード４として前記２種類のレーザダイオードを選択的に装着することは、図７に示す如く、横方向の断面形状が長方形の一般的なモールドパッケージタイプに対応するレーザホルダ１４ａと、図８に示す如く、横方向の断面形状が真円形のキャンパッケージタイプに対応するレーザホルダ１４ｂとを選択的に光学ハウジング１に取り付けることにより達成される。
【００１９】
ところで、フレキシブル配線基板７には、光学ヘッド装置の光学ハウジング１に組み込まれる第１レーザダイオード４及び第２レーザダイオード５、ＣＤ及びＤＶＤの各ディスクにより反射されたレーザー光を受光する光検出器６や、前記第１レーザダイオード４及び第２レーザダイオード５をそれぞれ駆動するレーザ駆動用半導体集積回路１５等の各種電気部品が接続、あるいは設置される。
【００２０】
前記フレキシブル配線基板７は、レーザ駆動用半導体集積回路１５等の電気部品が設置されるプリント配線基板１６に接続され、外形形状と所定部分での山折り及び谷折りによる折り曲げにより、第１レーザダイオード４及び第２レーザダイオード５に接続される。
【００２１】
図４はフレキシブル配線基板７の形態を説明する説明図で、光学ヘッド装置に装着される際の折り曲げ状態を示している。このフレキシブル配線基板７は、両端にＣＤ用の第１レーザダイオード４及びＤＶＤ用の第２レーザダイオード５がそれぞれ接続される第１レーザ接続部７ａ及び第２レーザ接続部７ｂが形成されており、前記フレキシブル配線基板７の中間にプリント配線基板１６に接続する中継部７ｃが形成されている。
【００２２】
そして、前記フレキシブル配線基板７の第１レーザ接続部７ａ及び第２レーザ接続部７ｂの付け根部分には折り返し部１７ａ及び１７ｂが設けられており、これらの折り返し部１７ａ及び１７ｂにより第１レーザダイオード４及び第２レーザダイオード５をそれぞれ光学ハウジング１に設置する際の回転方向の調整による捩れが吸収される。特に、第１レーザ接続部７ａの付け根部分の折り返し部は形態の相違するレーザダイオードを装着することに起因するフレキシブル配線基板７の捩れも吸収するのに有効である。
【００２３】
ところで、フレキシブル配線基板７のＣＤ用の第１レーザダイオード４が接続される第１レーザ接続部７ａには、キャンパッケージタイプ及びモールドパッケージタイプの形態が相違する２種類の第１レーザダイオード４が接続されるようになっている。
【００２４】
キャンパッケージタイプのレーザダイオードの各リード端子はアース端子を頂点とした２等辺三角形に配置され、一方、モールドパッケージタイプのレーザダイオードの各リード端子はアース端子を中央にして一列に等間隔に並んで配置されている。
【００２５】
フレキシブル配線基板７の第１レーザ接続部７ａには、前記２種類のレーザダイオードの両方の各リード端子に対応する位置にそれぞれランド領域１２ａ，１２ｂを備える端子孔１１ａ〜１１ｅが形成されると共に、前記２種類のレーザダイオードの同一機能のリード端子ごとにそれぞれ共用されるランド領域１２ａ，１２ｂが各端子孔１１ａ〜１１ｅに対応させて形成されている。
【００２６】
詳細を説明すると、キャンパッケージタイプのレーザダイオードの各リード端子はそれぞれ各端子孔１１ａ，１１ｂ，１１ｃに挿入され、モールドパッケージタイプのレーザダ
イオードの各リード端子はそれぞれ各端子孔１１ｄ，１１ａ，１１ｅに挿入される。この場合、レーザダイオードの電気的な接続に関与しないノンコネクトリード端子に対応する端子孔１１ｃあるいは１１ｅには対応するランド領域が形成されておらず、このノンコネクトリード端子はハンダ付けされない。
【００２７】
このように第１レーザ接続部７ａを構成することによりキャンパッケージタイプ及びモールドパッケージタイプの２種類のレーザダイオードに対してフレキシブル配線基板７を共通に使用することが可能となっている。
【００２８】
この場合、２種類のレーザダイオードの各アース端子が挿入される端子孔１１ａを共通使用するので、第１レーザ接続部７ａを拡大せずに各端子孔１１ａ〜１１ｅを効率良く配置することが出来る。
【００２９】
尚、第２レーザ接続部７ｂはキャンパッケージタイプのレーザダイオードのみが接続される構成となっており、第２レーザダイオード５の各リード端子に対応する位置にそれぞれランド領域１３ａ，１３ｂを備える端子孔１４ａ〜１４ｃが形成されている。
【００３０】
また、第２レーザダイオード５のノンコネクトリード端子に対応する端子孔１４ｃには対応するランド領域が形成されておらず、このノンコネクトリード端子はハンダ付けされない。
【００３１】
ところで、フレキシブル配線基板７はポリイミド等の樹脂フィルムから成るベースフィルムの表裏両面にそれぞれ銅箔の導電パターンが形成される２層基板により構成され、表裏の各導電パターンのハンダ付け可能なランド領域を除いてポリイミド等の樹脂フィルムから成るカバーフィルムが被覆されて構成される。
【００３２】
フレキシブル配線基板７の１層目及び２層目はそれぞれ図５及び図６に示す如く配線パターンが形成され、フレキシブル配線基板７の１層目には第１レーザダイオード４及び第２レーザダイオード５の各カソードにそれぞれ接続されるべく共通使用されるグランドライン８が形成されており、フレキシブル配線基板７の２層目、すなわち１層目の裏面には第１レーザダイオード４及び第２レーザダイオード５の各アノードにそれぞれ接続されるホット側ライン９及び１０が独立して形成されている。
【００３３】
フレキシブル配線基板７の中継部７ｃには、前記グランドライン８、前記ホット側ライン９及び１０に対応してそれぞれ各接続ランド領域８ａ，９ａ及び１０ａが設けられ、これらの各接続ランド領域８ａ，９ａ及び１０ａはプリント配線基板１６にハンダ付けにより接続される。この接続によりグランドライン８の接続ランド領域８ａは光学ヘッド装置とドライブ本体のメイン基板とを連結する連結用フレキシブル配線基板（図示せず）を介してシャーシアースに接続され、ホット側ライン９及び１０に対応する各接続ランド領域９ａ及び１０ａはプリント配線基板１６に接続されて光学ヘッド装置に搭載されるレーザ駆動用半導体集積回路１５に接続される。その為、第１レーザダイオード４及び第２レーザダイオード５にはレーザ駆動用半導体集積回路１５から発生される駆動パルスがフレキシブル配線基板７を介してそれぞれ供給される。
【００３４】
ここで、フレキシブル配線基板７の２層目に形成されるホット側ライン９及び１０は、それぞれ第１レーザ接続部７ａ及び中継部７ｃにそれぞれ設けられたスルーホール１８及び１９と，第２レーザ接続部７ｂ及び中継部７ｃにそれぞれ設けられたスルーホール２０及び２１によってフレキシブル配線基板７の１層目に形成される第１レーザ接続部７ａ及び中継部７ｃと、第２レーザ接続部７ｂ及び中継部７ｃとにおける対応するランド領域同士がそれぞれ電気的に接続されている。その為、第１レーザダイオード４の各リード端子
１２ａ，１２ｂ、第２レーザダイオード５の各リード端子１３ａ，１３ｂ及び中継部７ｃの各接続ランド領域８ａ，９ａ，１０ａのハンダ付けはフレキシブル配線基板７の１層目のみにより行える。
【００３５】
また、フレキシブル配線基板７の表裏に第１レーザダイオード４及び第２レーザダイオード５のそれぞれのグランドライン８とホット側ライン９及び１０とがそれぞれ分けて形成されており、グランドライン８がオモテ面に配置されるので、ホット側ライン９及び１０の抵抗成分を低減するのに有利であると共に、ホット側ライン９及び１０に供給される駆動パルスにより輻射されるノイズ発生を低減するシールド効果が期待できる。
【図面の簡単な説明】
【００３６】
【図１】本発明に係る光学ヘッド装置の配線装置の一実施例を示し、モールドパッケージタイプのレーザダイオードを使用した状態を示す底面側からの斜視図である。
【図２】本発明に係る光学ヘッド装置の配線装置の一実施例を示し、キャンパッケージタイプのレーザダイオードを使用した状態を示す底面側からの斜視図である。
【図３】図１に示す光学ヘッド装置の配線装置を側面方向やや上方から示した斜視図である。
【図４】フレキシブル配線基板７の形態を説明する説明図であり、光学ヘッド装置に装着される際の折り曲げ状態を示している。
【図５】フレキシブル配線基板７の１層目の配線パターンを示す説明図である。
【図６】フレキシブル配線基板７の２層目の配線パターンを示す説明図である。
【図７】モールドパッケージタイプに対応するレーザホルダ１４ａを説明する説明図である。
【図８】キャンパッケージタイプに対応するレーザホルダ１４ｂを説明する説明図である。
【符号の説明】
【００３７】
１        光学ハウジング
４        第１レーザダイオード
５        第２レーザダイオード
７        フレキシブル配線基板
７ａ        第１レーザ接続部
７ｂ        第２レーザ接続部
７ｃ        中継部
８        グランドライン
９，１０        ホット側ライン
１１ａ〜１１ｅ        端子孔
１２ａ，１２ｂ        ランド領域
１７ａ，１７ｂ        折り返し部
【図１】
2006164476.tif 000003
【図２】
2006164476.tif 000004
【図３】
2006164476.tif 000005
【図４】
2006164476.tif 000006
【図５】
2006164476.tif 000007
【図６】
2006164476.tif 000008
【図７】
2006164476.tif 000009
【図８】
2006164476.tif 000010